【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
変形可能膜アセンブリであって、
流体（９０）と接触する変形可能な膜（７０）と、
所定の形態に従って前記膜（７０）の膨張を生じさせるための前記流体（９０）の圧力を調整するための選択的に操作可能なアジャスタとを備え、
前記膜（７０）は、可曲性の支持部材（５０、６０）周りの離間した位置に、少なくとも３つの係合部材（８２）によって固定支持に結合される前記支持部材（５０、６０）によって周囲に保持され、前記膜（７０）の所定形態に対応する前記支持部材（５０、６０）の外郭形状が、前記膜（７０）の膨張の方向で極大又は極小曲率を示す前記支持部材（５０、６０）の周りの少なくとも１つの点に、又はその近傍に、設けられる係合部材（８２）が存在する、
変形可能膜アセンブリ。
【請求項２】
前記膜（７０）の所定形態に対応する前記支持部材（５０、６０）の前記外郭形状が、前記膜（７０）の膨張の方向で極大曲率を示す前記支持部材（５０、６０）の周りの少なくとも１つの点に、又はその近傍に、設けられる係合部材（８２）が存在する、
請求項１に記載の変形可能膜アセンブリ。
【請求項３】
前記膜（７０）の所定形態に対応する前記支持部材（５０、６０）の前記外郭形状が、前記膜（７０）の膨張の方向で極大曲率を示す前記支持部材（５０、６０）の周りの２以上の点に、又はその近傍に、設けられる係合部材（８２）が存在する、
請求項２に記載の変形可能膜アセンブリ。
【請求項４】
前記膜（７０）の所定形態に対応する前記支持部材（５０、６０）の前記外郭形状が、前記膜（７０）の膨張の方向で極小曲率を示す前記支持部材（５０、６０）の周りの少なくとも１つの点に、又はその近傍に、設けられる係合部材（８２）が存在する、
請求項１乃至請求項３のいずれか１項に記載の変形可能膜アセンブリ。
【請求項５】
前記流体（９０）は、エンベロープ内部に収容され、その１つの壁が、前記変形可能な膜（７０）によって形成され、前記アジャスタは、前記エンベロープ内部の流体（９０）の体積を選択的に調整するために操作可能な、
請求項１乃至請求項４のいずれか１項に記載の変形可能膜アセンブリ。
【請求項６】
前記流体（９０）は、圧縮可能な又は拡張可能なエンベロープ内部に収容され、その１つの壁が、前記変形可能な膜（７０）によって形成され、前記アジャスタは、前記変形可能な膜（７０）の膨張を生じさせるよう前記エンベロープを選択的に圧縮又は拡張するために操作可能な、
請求項１乃至請求項４のいずれか１項に記載の変形可能膜アセンブリ。
【請求項７】
前記係合部材（８２）のうちの少なくとも１つは、前記エンベロープを圧縮又は拡張するための前記固定支持に対して極大又は極小曲率の各点で、又はその近傍で、前記支持部材（５０、６０）を変位させるために、前記アジャスタに接続される、
請求項６に記載の変形可能膜アセンブリ。
【請求項８】
前記係合部材（８２）のうちの少なくとも１つは、極大又は極小曲率の各点に、又はその近傍に、前記支持部材（５０、６０）を実質的に固定して保持するよう配置された、
請求項１乃至請求項７のいずれか１項に記載の変形可能膜アセンブリ。
【請求項９】
前記支持部材（５０、６０）は、可曲性のリングを備える、
請求項１乃至請求項８のいずれか１項に記載の変形可能膜アセンブリ。
【請求項１０】
前記係合部材（８２）のうちの少なくとも１つは、前記リングから突出するタブを備える、
請求項９に記載の変形可能膜アセンブリ。
【請求項１１】
前記リングの曲げ剛性は、前記膜（７０）の膨張に応じて前記リングの曲がりを制御するためにその範囲周りで変化する、
請求項９又は請求項１０に記載の変形可能膜アセンブリ。
【請求項１２】
前記所定形態は、１つ以上のゼルニケ多項式の重ね合わせによって定義される、
請求項１乃至請求項１１のいずれか１項に記載の変形可能膜アセンブリ。
【請求項１３】
前記支持部材（５０、６０）によって保持される前記膜（７０）の縁部は、非円形である、
請求項１乃至請求項１２のいずれか１項に記載の変形可能膜アセンブリ。
【請求項１４】
前記係合部材（８２）のうちの少なくとも１つは、前記膜（７０）が膨張する際に実質的に固定である前記支持部材（５０、６０）周りの点に位置する、
請求項１乃至請求項１３のいずれか１項に記載の変形可能膜アセンブリ。
【請求項１５】
前記支持部材（５０、６０）は、添付図面の図５Ａ乃至図１２Ａに示す形状から選択される形状を有する可曲性のリングを備え、前記係合部材（８２）は、それら図面に示されるような極大又は極小曲率の各点に位置決めされた、
請求項１乃至請求項１４のいずれか１項に記載の変形可能膜アセンブリ。
【請求項１６】
前記膜（７０）は、前記流体（９０）の圧力が最小のときに膨張しているように構成された、
請求項１乃至請求項１５のいずれか１項に記載の変形可能膜アセンブリ。
【手続補正２】
【補正対象書類名】明細書
【補正対象項目名】００８５
【補正方法】変更
【補正の内容】
【００８５】
図６Ａ乃至図１２Ａに示す代替レンズ形状のそれぞれのために、動作時のリング５０、６０の境界高さの対応する変化を図６Ｂ乃至図１２Ｂに示す一方で、リング５０、６０の曲率の変化を図６Ｃ乃至図１２Ｃに示す。各レンズ形状のために、作動タブ８２Ａ及び制御タブ８２Ｃの要求される位置を示すと共に、膜７０における予張力の下でリング５０、６０の追加の安定性を得るような任意のヒンジタブ８２Ｈの位置も示されている。これら図面のそれぞれにおいて、ＰＣＴ／ＧＢ２０１２／０５１４２６による制御点Ｐの位置も、比較のために示されている。
［第１の局面］
変形可能膜アセンブリであって、
流体と接触する変形可能な膜と、
所定の形態に従って前記膜の膨張を生じさせるための前記流体の圧力を調整するための選択的に操作可能なアジャスタとを備え、
前記膜は、可曲性の支持部材周りの離間した位置に、少なくとも３つの係合部材によって固定支持に結合される前記支持部材によって周囲に保持され、前記膜の所定形態に対応する前記支持部材の外郭形状が、前記膜の膨張の方向で極大又は極小曲率を示す前記支持部材の周りの少なくとも１つの点に、又はその近傍に、設けられる係合部材が存在する、
変形可能膜アセンブリ。
［第２の局面］
前記膜の所定形態に対応する前記支持部材の前記外郭形状が、前記膜の膨張の方向で極大曲率を示す前記支持部材の周りの少なくとも１つの点に、又はその近傍に、設けられる係合部材が存在する、
第１の局面の変形可能膜アセンブリ。
［第３の局面］
前記膜の所定形態に対応する前記支持部材の前記外郭形状が、前記膜の膨張の方向で極大曲率を示す前記支持部材の周りの２以上の点に、又はその近傍に、設けられる係合部材が存在する、
第２の局面の変形可能膜アセンブリ。
［第４の局面］
前記膜の所定形態に対応する前記支持部材の前記外郭形状が、前記膜の膨張の方向で極小曲率を示す前記支持部材の周りの少なくとも１つの点に、又はその近傍に、設けられる係合部材が存在する、
第１乃至第３のいずれか１の局面の変形可能膜アセンブリ。
［第５の局面］
前記流体は、エンベロープ内部に収容され、その１つの壁が、前記変形可能な膜によって形成され、前記アジャスタは、前記エンベロープ内部の流体の体積を選択的に調整するために操作可能な、
第１乃至第４のいずれか１の局面の変形可能膜アセンブリ。
［第６の局面］
前記流体は、圧縮可能な又は拡張可能なエンベロープ内部に収容され、その１つの壁が、前記変形可能な膜によって形成され、前記アジャスタは、前記変形可能な膜の膨張を生じさせるよう前記エンベロープを選択的に圧縮又は拡張するために操作可能な、
第１乃至第４のいずれか１の局面の変形可能膜アセンブリ。
［第７の局面］
前記係合部材のうちの少なくとも１つは、前記エンベロープを圧縮又は拡張するための前記固定支持に対して極大又は極小曲率の各点で、又はその近傍で、前記支持部材を変位させるために、前記アジャスタに接続される、
第６の局面の変形可能膜アセンブリ。
［第８の局面］
前記係合部材のうちの少なくとも１つは、極大又は極小曲率の各点に、又はその近傍に、前記支持部材を実質的に固定して保持するよう配置された、
第１乃至第７のいずれか１の局面の変形可能膜アセンブリ。
［第９の局面］
前記支持部材は、可曲性のリングを備える、
第１乃至第８のいずれか１の局面の変形可能膜アセンブリ。
［第１０の局面］
前記係合部材のうちの少なくとも１つは、前記リングから突出するタブを備える、
第９の局面の変形可能膜アセンブリ。
［第１１の局面］
前記リングの曲げ剛性は、前記膜の膨張に応じて前記リングの曲がりを制御するためにその範囲周りで変化する、
第９又は第１０の局面の変形可能膜アセンブリ。
［第１２の局面］
前記所定形態は、１つ以上のゼルニケ多項式の重ね合わせによって定義される、
第１乃至第１１のいずれか１の局面の変形可能膜アセンブリ。
［第１３の局面］
前記支持部材によって保持される前記膜の縁部は、非円形である、
第１乃至第１２のいずれか１の局面の変形可能膜アセンブリ。
［第１４の局面］
前記係合部材のうちの少なくとも１つは、前記膜が膨張する際に実質的に固定である前記支持部材周りの点に位置する、
第１乃至第１３のいずれか１の局面の変形可能膜アセンブリ。
［第１５の局面］
前記支持部材は、添付図面の図５Ａ乃至図１２Ａに示す形状から選択される形状を有する可曲性のリングを備え、前記係合部材は、それら図面に示されるような極大又は極小曲率の各点に位置決めされた、
第１乃至第１４のいずれか１の局面の変形可能膜アセンブリ。
［第１６の局面］
前記膜は、前記流体の圧力が最小のときに膨張するように構成された、
第１乃至第１５のいずれか１の局面の変形可能膜アセンブリ。
［第１７の局面］
流体と接触する変形可能な膜と、前記膜の膨張を生じさせるための前記流体の圧力を調整するために選択的に操作可能なアジャスタとを備える変形可能膜アセンブリであって、流体の前記圧力が前記アセンブリによって許されるその最低圧であるとき、前記膜は膨張するように構成された、
変形可能膜アセンブリ。
［第１８の局面］
前記膜は、前記流体の前記圧力がその最低圧であるとき、範囲０．１乃至１．０ジオプトリ、例えば、０．５ジオの屈折力を有する表面を形成するよう膨張するように構成された、
第１６又は第１７の局面の変形可能膜アセンブリ。